(57)【要約】【課題】聴取者の移動を検出して電力消費を抑制する音響処理装置を提供する。【解決手段】音響処理装置１は、コンテンツ再生装置３が再生出力したオーディオ信号を、聴取者Ｕの聴取位置９１の周囲に配置したスピーカ１１〜スピーカ１５から放音する。スピーカ１１〜スピーカ１３の間には、所定の間隔でマイクロフォン１７−１〜マイクロフォン１７−２を設置している。音響処理装置１は、聴取者Ｕの有無や聴取者Ｕの位置を検出するセンサとして、マイクロフォン１７−１〜マイクロフォン１７−２を使用する。音響処理装置１は、マイクロフォン１７−１〜マイクロフォン１７−２で音声を収音し、聴取者Ｕの有無に応じて内蔵する増幅器（アンプ）２５の電源をオンまたはオフする。また、聴取者Ｕの位置に応じて音声を放音させるスピーカを切り換え、使用しない増幅器をオフにする。【選択図】図１
2011211334.tif 000002
【特許請求の範囲】
【請求項１】
音声信号を分配する信号処理部と、
前記信号処理部に分配された音声信号を増幅する複数の増幅部と、
前記増幅部が増幅した音声信号を放音する複数の放音部と、
音声を収音して収音信号を生成する複数の収音部と、
前記複数の収音部が収音した音声信号に基づいて、音源の位置を検出する音源位置検出部と、
前記信号処理部が分配する音声信号のチャンネル数の情報を通知するチャンネル情報通知部と、
前記音源位置検出部の検出結果と、前記チャンネル情報通知部から通知された情報と、に基づいて、前記信号処理部に音声信号を分配させるとともに、前記複数の増幅部のうち音声信号が分配されない増幅部を停止させる制御部と、
を備えた音響処理装置。
【請求項２】
前記信号処理部が分配する音声信号から疑似エコー信号を生成し、この疑似エコー信号を用いて前記収音部が生成した収音信号のエコーをキャンセルするエコーキャンセル部と、
前記放音部から前記収音部に至る音響帰還系のインパルス応答の変化を監視し、このインパルス応答の変化に基づいて人の有無を検出する有人検出部と、
を備え、
前記制御部は、前記有人検出部が人がいないことを検出した場合、前記増幅部をすべて停止させる、請求項１に記載の音響処理装置。
【発明の詳細な説明】
【技術分野】
【０００１】
この発明は、省電力機能を備えた音響処理装置に関する。
【背景技術】
【０００２】
近時、ＡＶ機器には、省電力機能が搭載されたものがある。
【０００３】
例えば、特許文献１に記載の受像機は、視聴者が視聴領域から離れた場合には、画面の輝度を段階的に下げ、最終的に黒画面にすることで消費電力を抑制する機能を備えている。
【０００４】
特許文献２に記載の再生装置は、６チャンネルの音声再生回路を備えており、２チャンネルのデータしか記録されていないＤＶＤを再生する場合には、４チャンネル分の音声回路の電源をオフにして、必要以外の電力を抑制する機能を備えている。
【先行技術文献】
【特許文献】
【０００５】
【特許文献１】特開２００８−２４４９１７号公報
【特許文献２】特開２０００−２０７８１７号公報
【発明の概要】
【発明が解決しようとする課題】
【０００６】
しかしながら、特許文献２に記載の再生装置は、聴取者の移動を検出することができず、再生モード中には、ＤＶＤにデータが記録されているチャンネルの音声出力回路の電源を常にオンにしている。そのため、再生装置で６チャンネルの音声信号が記録されたＤＶＤを再生中に聴取者がＤＶＤの再生中に聴取領域から離れると、６チャンネルでの再生は不要であるが、６チャンネルの音声出力回路の電源がオンの状態で維持されるので、電力消費を抑制することができなかった。
【０００７】
そこで、この発明は、聴取者の移動を検出して電力消費を抑制する音響処理装置を提供することを目的とする。
【課題を解決するための手段】
【０００８】
この発明の音響処理装置は、信号処理部に分配された音声信号を増幅部で増幅して、複数の放音部で音声信号を放音する。また、複数の収音部で音声を収音して収音信号を生成し、音源位置検出部は複数の収音部が収音した音声信号に基づいて、音源の位置を検出する。制御部は、この音源の位置と、チャンネル情報通知部により通知された入力音声信号のチャンネル数の情報と、に基づいて、信号処理部に音声信号を分配させる。また、制御部は、複数の増幅部のうち音声信号が分配されない増幅部を停止させる。聴取者は聴取中に動いたり声を発したりして、何らかの音を発する音源となるので、この音を検出することで、聴取者の位置を検出できる。音響処理装置は、聴取者の位置に応じて音声信号を分配するので、聴取者が聴取領域におらず音響効果を体感できないときに、無駄に音声を再生して電力を浪費するのを防止できる。
【０００９】
上記構成において、音響処理装置は、有人検出部で、放音部から収音部に至る音響帰還系のインパルス応答の変化を監視し、このインパルス応答の変化に基づいて人の有無を検出する。このとき、放音部が放音して収音部に回り込む音声は不要なため、この回り込み音声を打ち消すためにエコーキャンセル部を設けて、信号処理部が分配する音声信号から疑似エコー信号を生成し、この疑似エコー信号を用いて収音部が生成した収音信号の回り込み音声をキャンセルする。制御部は、有人検出部が人のいないことを検出した場合、増幅部をすべて停止させる。このように、音響処理装置は、人の有無によって増幅部を停止させるので、聴取者がいないときに無駄に音声を放音するのを防止して、電力消費を抑制できる。また、音により聴取者の有無を検出するので、周囲の明るさの影響を受けることなく、確実に聴取者（人）の有無を検出できる。
【発明の効果】
【００１０】
この発明によれば、聴取者の移動を検出して電力消費を抑制できる。
【図面の簡単な説明】
【００１１】
【図１】音響処理装置の接続及び配置の概略を示す図である。
【図２】音響処理装置の構成を示すブロック図である。
【図３】音響処理装置の処理を説明するためのフローチャートである。
【図４】エコーキャンセラの構成を示すブロック図である。
【図５】インパルス応答による聴取者の有無検出の概念を説明するための図である。
【図６】音源と複数のマイクロフォンとの位置関係を示す図である。
【図７】リスニングルームにおける聴取者の位置を示す図である。
【図８】音響処理装置の設定を示す表である。
【図９】リスニングルームにおける聴取者の位置を示す図である。
【図１０】音響処理装置の設定を示す表である。
【発明を実施するための形態】
【００１２】
以下、本発明の実施形態に係る音響処理装置について説明する。図１は、音響処理装置の接続及び配置の概略を示す図である。図１に示すように、音響処理装置１には、コンテンツ再生装置３と、５つのスピーカ１１〜スピーカ１５（放音部に相当）と、２つの無指向性のマイクロフォン１７−１〜マイクロフォン１７−２（収音部に相当）と、が接続されている。
【００１３】
コンテンツ再生装置３は、テレビチューナや、ＣＤ・ＤＶＤ等の光ディスク再生装置等のようなオーディオ信号を出力する装置である。
【００１４】
聴取者Ｕは、リスニングルーム９０の中央部に設定された聴取位置９１で、コンテンツ再生装置３が再生したコンテンツの音声や音楽を聴取できる。聴取位置９１の周囲には、スピーカ１１〜スピーカ１５を、一例としてＩＴＵ−Ｒ  ＢＳ・７７５勧告に基づくスピーカ配置で配置している。コンテンツ再生装置３がコンテンツを再生して５ｃｈのオーディオ信号を出力したときには、音響処理装置１は、スピーカ１１からＬｃｈ音声、スピーカ１２からＣｃｈ音声、スピーカ１３からＲｃｈ音声、スピーカ１４からＳＬｃｈ音声、及びスピーカ１５からＳＲｃｈ音声をそれぞれ放音する。このとき、聴取者Ｕは、スピーカ１１〜スピーカ１５に囲まれた聴取領域９２内、特に聴取位置９１では、各スピーカが放音した音声をマルチチャンネルのサラウンドサウンドとして聴取できる。一方、聴取者Ｕは、聴取領域９２の外では、各スピーカが放音した音声をサラウンドサウンドとして聴取することができない。
【００１５】
スピーカ１１とスピーカ１２の間、及びスピーカ１２とスピーカ１３の間には、所定の間隔でマイクロフォン１７−１〜マイクロフォン１７−２を設置している。音響処理装置１は、聴取者の有無や聴取者の位置を検出するセンサとして、マイクロフォン１７−１〜マイクロフォン１７−２を使用する。すなわち、音響処理装置１は、マイクロフォン１７−１〜マイクロフォン１７−２で音声を収音し、聴取者の有無に応じて内蔵する増幅器（アンプ）の電源をオンまたはオフする。また、聴取者の位置に応じて音声を放音させるスピーカを切り換える。
【００１６】
音響処理装置１は、上記の機能を実現するために、以下の構成を備えている。図２は、音響処理装置の構成を示すブロック図である。図３は、音響処理装置の処理を説明するためのフローチャートである。図４は、エコーキャンセラの構成を示すブロック図である。
【００１７】
図２に示すように、音響処理装置１は、デコード部２１（チャンネル情報通知部に相当）、信号処理部２３、増幅部２５、エコーキャンセル部２７、有人検出部２９、音源位置検出部３１、及び制御部３３を備えている。増幅部２５は、増幅器２５Ｌ、増幅器２５Ｃ、増幅器２５Ｒ、増幅器２５ＳＬ、及び増幅器２５ＳＲを備えている。エコーキャンセル部２７は、エコーキャンセラ２７−１〜エコーキャンセラ２７−Ｎを備えており、それぞれマイクロフォン１７−１〜マイクロフォン１７−Ｎが接続されている。なお、図１には、Ｎ＝２の場合を示している。また、音響処理装置１には、マイクロフォンを２つ以上接続すれば良い。マイクロフォンの接続数が多い方が、音源位置の特定や音源有無の検出の精度を高くできる。
【００１８】
なお、図２において、アナログ音声信号をデジタル変換するＡ／Ｄコンバータや、デジタル音声信号をアナログ変換するＤ／Ａコンバータなどの表記は省略している。
【００１９】
図３に示すように、コンテンツ再生装置３は、コンテンツの再生操作を受け付けると（Ｓ１：Ｙ）、コード化されているデジタルオーディオ信号を音響処理装置１のデコード部２１に出力する（Ｓ２）。
【００２０】
デコード部２１は、デジタルオーディオ信号が入力されると（Ｓ１１：Ｙ）、デジタルオーディオ信号に含まれている信号のチャンネル数を確認して、チャンネル数の情報を制御部３３に出力する（Ｓ１２）。また、デコード部２１は、入力されたデジタルオーディオ信号をデコードして信号処理部２３に出力する（Ｓ１３）。
【００２１】
制御部３３は、オーディオ信号が５チャンネルの場合には（Ｓ１４：Ｙ）、信号のミックスダウンやチャンネルの入れ替えを行わずに正規のチャンネル（Ｌｃｈ、Ｃｃｈ、Ｒｃｈ、ＳＬｃｈ、ＳＲｃｈ）に各オーディオ信号を出力（分配）するように指示する制御信号を信号処理部２３に出力する。また、制御部３３は、全増幅器を動作させる制御信号を増幅部２５に出力する。信号処理部２３は、増幅部２５とエコーキャンセル部２７に５チャンネルのオーディオ信号を出力し、スピーカ１１〜スピーカ１５から音声を放音する（Ｓ１５）。続いて、制御部３３は、ステップＳ１９を行う。
【００２２】
制御部３３は、オーディオ信号が２チャンネルの場合には（Ｓ１４：Ｎ、Ｓ１６：Ｙ）、信号処理部２３に信号のミックスダウンやチャンネルの入れ替えを行わずに正規のチャンネル（Ｌｃｈ、Ｒｃｈ）に各オーディオ信号を出力（分配）するように指示する制御信号を出力する。また、制御部３３は、増幅部２５に増幅器２５Ｌと増幅器２５Ｒをオンにして、残りの３つの増幅器をオフにする制御信号を出力する。信号処理部２３は、増幅部２５とエコーキャンセル部２７に２チャンネルのオーディオ信号を出力し、スピーカ１１とスピーカ１３から音声が放音される（Ｓ１７）。これにより、増幅部２５において消費電力が抑制される。続いて、制御部３３は、ステップＳ１９を行う。
【００２３】
制御部３３は、オーディオ信号が１チャンネルの場合には（Ｓ１４：Ｎ、Ｓ１６：Ｎ）、信号処理部２３に疑似ステレオ信号の生成と出力（分配）を指示する制御信号を出力する。また、制御部３３は、増幅部２５に増幅器２５Ｌと増幅器２５Ｒをオンにして、残りの３つの増幅器２５Ｃ，２５ＳＬ，２５ＳＲをオフにする制御信号を出力し、スピーカ１１とスピーカ１３から音声が放音される（Ｓ１８）。これにより、増幅部２５において消費電力が抑制される。続いて、制御部３３は、ステップＳ１９を行う。
【００２４】
音響処理装置１は、リスニングルーム９０における聴取者Ｕの位置や有無を、以下の構成により検出する。
【００２５】
エコーキャンセル部２７は、マイクロフォン１７−１〜マイクロフォン１７−Ｎに回り込むスピーカ１１〜スピーカ１５が放音した音声をキャンセル（消去）する。エコーキャンセラ２７−１〜エコーキャンセラ２７−Ｎは同じ構成であり、図４に示すように、例えばエコーキャンセラ２７−１は、疑似エコー信号生成部２７１と適応パラメータ設定部２７２と加算器２７３を備えている。
【００２６】
疑似エコー信号生成部２７１は、信号処理部２３が出力したオーディオ信号と、適応パラメータ設定部２７２からの適応パラメータと、を用いて、リスニングルーム９０の音響環境に依存するインパルス応答に基づく疑似エコー信号を生成し、加算器２７３に出力する。
【００２７】
加算器２７３は、マイクロフォン１７−１の収音信号から擬似エコー信号を減算することでエコーキャンセル処理を行い、エコーキャンセル後の収音信号を出力する。エコーキャンセル後の収音信号は、適応パラメータ設定部２７２および音源位置検出部３１に出力される。このようにエコーキャンセル処理が行われることで、聴取者Ｕがリスニングルーム９０内で発声したり動作音を発生させたりした場合に、スピーカ１１〜１５から放音された音声の影響を受けることなく、聴取者Ｕから発生した音を確実に取得することができる。これにより、音源位置検出部３１での有人検出を、より確実に行うことができる。
【００２８】
適応パラメータ設定部２７２は、エコーキャンセル後の収音信号に基づいて既知の方法で適応パラメータを設定する。適応パラメータ設定部２７２は、適応パラメータを、擬似エコー信号生成部２７１および有人検出部２９に出力する。
【００２９】
図４に示す有人検出部２９は、エコーキャンセル部２７から所定間隔で送られてくるエコーキャンセル処理用の適応パラメータ、すなわちスピーカ１１〜スピーカ１５からマイクロフォン１７−１に至る音響帰還系のインパルス応答の変化量を監視する。例えば、無人状態のリスニングルーム９０に聴取者Ｕが入室して有人状態になると、音響伝達経路の環境が変化し、反射音の到達時間も変化するため、インパルス応答は変化する。また、聴取者Ｕが座った状態で首を動かしたり席から立ち上がったりする等、聴取者Ｕが動くと、音響伝達経路の環境が変化して、反射音の到達時間が変化するため、インパルス応答が変化する。このように、インパルス応答が変化すると言うことは、音響空間であるリスニングルーム９０に変化が生じたことを意味し、聴取者Ｕが有無を推定できる。よって、有人検出部２９は、インパルス応答の変化を検知することで、人（聴取者Ｕ）が存在するか否か（有人状態か無人状態か）を検出することができる。有人検出部２９は、人（聴取者Ｕ）の検出結果を制御部３３に出力する。
【００３０】
ここで、インパルス応答による聴取者Ｕの有無検出の概念を示す。図５は、インパルス応答による聴取者の有無検出の概念を説明するための図であり、（Ａ）は放音される音の波形例、（Ｂ）は（Ａ）の放音に対する無人環境時のエコーの波形例、（Ｃ）は（Ｂ）の場合のインパルス応答波形、（Ｄ）は（Ａ）の放音に対する有人環境時のエコーの波形例、（Ｅ）は（Ｄ）の場合のインパルス応答波形を示す。なお、本図は一例を簡略的に示すものであり、現実的にはより複雑なエコーが収音されるが、ここでは省略している。
【００３１】
まず、無人状態では、スピーカ１１〜スピーカ１５のいずれかから図５（Ａ）に示すような音声が放音された場合、図５（Ｂ）に示すような１つのピークからなる音声（直接音）が、マイクロフォン１７−１またはマイクロフォン１７−２で収音される。したがって、無人状態では、図５（Ｃ）に示すような時間軸上において先頭にピークを有し、徐々に減衰するインパルス応答が得られる。そして、このインパルス応答により無人状態の適応パラメータが設定されている。このような無人環境の適応パラメータは、例えば、事前に測定して記憶しておけばよい。
【００３２】
一方、有人状態では、スピーカ１１〜スピーカ１５のいずれかから図５（Ａ）に示すような放音が行われた場合、図５（Ｄ）に示すような１つのピークからなる音声（直接音）と、聴取者Ｕに反射した１つのピークからなる音声（間接音）と、がマイクロフォン１７−１またはマイクロフォン１７−２で収音される。この収音した音声において、最初に収音した遅延時間が短い側のピークを含む音声（直接音）が無人状態と同じであるが、２番目に収音した遅延時間が長い側の音声（間接音）が聴取者Ｕからの反射音であり、有人状態を表す音声である。したがって、有人状態では、図５（Ｅ）に示すような複数のピークを有するインパルス応答が得られる。そして、このインパルス応答により有人状態の適応パラメータが設定されている。この有人状態の適応パラメータは、インパルス応答が異なることからもわかるように、上述の無人状態の適応パラメータとは異なる。
【００３３】
したがって、このような適応パラメータの変化を検出することで、有人検出することができ、逆に適応パラメータの変化が無いことを検出することで、無人状態の継続を検出することができる。
【００３４】
なお、上記の説明では、有人状態では、スピーカが音を放音すると、マイクロフォンは聴取者Ｕに反射した１つのピークからなる音声（間接音）を収音するものとして説明したが、実際には聴取者Ｕからの反射音だけでなく、部屋の壁や家具などに反射して複数の反射音（間接音）がマイクロフォンで収音されるので、聴取者Ｕからの反射音を特定する必要がある。この場合、上記のように無人の状態で予め適応パラメータを測定して記憶しておき、所定タイミング毎に取得する適応パラメータと無人状態の適応パラメータとの差を検出すると良い。２つの適応パラメータに差があれば有人状態であり、差がなければ無人状態であることを検出する。この方法を用いれば、聴取者Ｕの有無を確実に検出できる。
【００３５】
なお、インパルス応答が少しでも変化すれば聴取者Ｕが存在すると判定しても良いし、所定の閾値を超える変化があれば聴取者Ｕが存在すると判定しても良い。また、有人検出部２９が遅延量を測定するタイミング（測定時間間隔）、及び遅延量の変化を測定するタイミングは、どのようなタイミングであっても良いが、疑似エコー信号生成部２７１または他のエコーキャンセラ２７−２〜エコーキャンセラ２７−Ｎの疑似エコー信号生成部に収音信号が入力されたとき（所定レベル以上の収音信号が入力されたとき）に、これをトリガとし、その後収音信号が入力されなくなるまで周期的に（例えば数１００ｍｓ毎に）測定すれば良い。
【００３６】
また、音響処理装置１は、以下の構成により、リスニングルーム９０に聴取者Ｕがいる場合に聴取者Ｕの位置を検出する。
【００３７】
音源位置検出部３１には、マイクロフォン１７−１〜マイクロフォン１７−Ｎが収音して、エコーキャンセル部２７（エコーキャンセラ２７−１〜エコーキャンセラ２７−Ｎ）でエコーが除去された音声が入力される。
【００３８】
図６は、音源と複数のマイクロフォンとの位置関係を示す図である。図７は、リスニングルームにおける聴取者の位置を示す図であり、図７（Ａ）は聴取者が聴取位置にいる状態、図７（Ｂ）は聴取者がリスニングルームにいない状態、図７（Ｃ）は聴取者が聴取領域外の右側にいる状態、図７（Ｄ）は聴取者が聴取領域外の左側にいる状態を示している。図８は、音響処理装置の設定を示す表である。
【００３９】
図６に示すように、マイクロフォン１７−１〜マイクロフォン１７−Ｎで音声を収音した際、音源２５０から発せられた音声は、マイクロフォン１７−１〜マイクロフォン１７−Ｎと音源との距離に応じた伝搬時間で伝搬する。そのため、マイクロフォン１７−１〜マイクロフォン１７−Ｎの収音タイミングに差が生じる。音源位置検出部３１は、これを利用して音源の位置を検出する。各マイクロフォンの距離（間隔）は予め判っているので、各マイクロフォンの収音タイミングの差を測定することで、周知の三角測量法により音源位置を特定できる。
【００４０】
また、スピーカ１１〜スピーカ１３のいずれかからパルス音（インパルス）を放音してから、聴取者Ｕに反射した音声をマイクロフォン１７−１とマイクロフォン１７−２で収音するまでの時間を計測することで、周知の三角測量法により聴取者Ｕの位置を特定できる。
【００４１】
音源位置検出部３１は、検出した音源（話者）の位置が、聴取領域９２の内か外かを検出して、その結果を制御部３３に出力する。
【００４２】
図３に示すように、制御部３３は、有人検出部２９の出力信号を確認し（Ｓ１９）、有人検出部２９の検出結果が有人状態の場合には（Ｓ２０：Ｙ）、さらに、音源位置検出部３１の出力信号を確認する（Ｓ２１）。制御部３３は、音源（話者）の検出結果が、聴取領域９２内に音源（話者）有りの場合には（Ｓ２２：Ｙ）、図７（Ａ）に示すような状態であるので、信号処理部２３と増幅部２５に制御信号を出力せずに、現在再生中の状態を維持する（Ｓ２３）。そして、制御部３３は、デコード部２１から、オーディオ信号の入力が停止したことを通知されるまで（Ｓ２４：Ｎ）、ステップＳ１９〜ステップＳ２４の処理を繰り返す。
【００４３】
制御部３３は、デコード部２１から、オーディオ信号の入力が停止したことを通知されると（Ｓ２４：Ｙ）、増幅部２５に全増幅器をオフにする制御信号を出力して、処理を終了する（Ｓ２５）。
【００４４】
一方、制御部３３は、ステップＳ１９において有人検出部２９の出力信号を確認した結果、有人検出部２９の検出結果が無人状態の場合には（Ｓ２０：Ｎ）、図７（Ｂ）に示すように聴取者Ｕがリスニングルーム９０内にいないと判断する。そして、増幅部２５に増幅器をすべてオフにする制御信号を出力し（Ｓ２６）、ステップＳ１９以降の処理を行う。これにより、増幅部２５の全増幅器は停止し、スピーカ１１〜スピーカ１５からは放音されず、増幅部２５の電力消費が抑制される。例えば、増幅部２５の各増幅器の消費電力が１０Ｗの場合、５ｃｈの音声を放音しているときには消費電力は５０Ｗであるが、上記のように、聴取者Ｕがリスニングルーム９０内にいない時には増幅部２５の消費電力を０Ｗにすることができる。
【００４５】
また、制御部３３は、ステップＳ２１において音源位置検出部３１の出力信号を確認した結果、聴取領域９２内に音源（話者）無しの場合には（Ｓ２２：Ｎ）、図７（Ｃ）と図７（Ｄ）に示すように、聴取者Ｕはリスニングルーム９０内にいるが聴取領域９２の外に移動したと判断する。この場合、聴取者Ｕが聴取領域外にいるので、音響処理装置１がサラウンドサウンドやステレオサウンドを放音しても、聴取者Ｕは聴取領域内にいるときのように音響効果を体感できない。そのため、音響処理装置１は、信号処理部２３に、オーディオ信号を１チャンネルにミックスダウンしてＣｃｈに分配（出力）するように指示する制御信号を出力する。また、制御部３３は、増幅部２５に対して、増幅器２５Ｃをオンにして残りの４つの増幅器をオフにする制御信号を出力し（Ｓ２７）、ステップＳ１９以降の処理を行う。これにより、スピーカ１２から音声が放音され、増幅部２５の増幅器２５Ｃだけが動作するので、５ｃｈの音声信号を放音している場合、消費電力を１０Ｗに抑制できる。
【００４６】
以上の説明における各設定をまとめると、図８に示す表のようになる。
【００４７】
このように、音響処理装置１は、聴取者Ｕが聴取領域９２の外やリスニングルーム９０の外に移動したことを検出すると、増幅部２５の動作を停止または制限するので、電力の消費を抑制できる。
【００４８】
次に、音響処理装置１では、以下のように設定することも可能である。図９は、リスニングルームにおける聴取者の位置を示す図であり、図９（Ａ）は聴取者が聴取位置にいる状態、図９（Ｂ）は聴取者が聴取領域外においてドアに向かって移動中の状態、図９（Ｃ）は聴取者がリスニングルーム外にいる状態、図９（Ｄ）は聴取者が聴取領域外において聴取位置に向かって移動中の状態を示している。図９は、音響処理装置の設定を示す表である。
【００４９】
図９に示すように、リスニングルーム９０の右側にドア９５が有る場合、聴取者Ｕが移動してリスニングルーム９０に入退室する際には、以下のように音響処理装置１の設定を切り換えるようにすることも可能である。
【００５０】
図９（Ａ）に示すように、聴取者Ｕが聴取領域９２内にいるときは、図７（Ａ）で説明した場合と同様に、音響処理装置１は、オーディオ信号のチャンネル数に応じて、各スピーカ１１〜スピーカ１５から音声を放音させる。
【００５１】
図９（Ｂ）に示すように、聴取者Ｕがドア９５の方向に移動していることを検出したときには、音響処理装置１は、スピーカ１１からＬｃｈ（Ｌｃｈのミックスダウン信号またはＬｃｈの疑似信号）を放音し、スピーカ１４からＲｃｈ（Ｒｃｈのミックスダウン信号またはＲｃｈの疑似信号）を放音する。これにより、聴取者Ｕには、右耳にはＲｃｈの音声が聞こえ、左耳にはＬｃｈの音声が聞こえるので、聴取者Ｕがリスニングルーム９０を退出するまで、ステレオ音声を聴取させることができる。また、このとき、増幅部２５の増幅器２５Ｌと増幅器２５ＳＬをオンにして残りの３つの増幅器をオフにすることで、電力消費を抑制できる。
【００５２】
図９（Ｃ）に示すように、聴取者Ｕがリスニングルーム９０から退出すると、図７（Ｂ）の場合と同様、増幅部２５の全増幅器をオフにする。これにより、聴取者Ｕに聞こえない音声を無駄に放音するのを防止して、電力消費を抑制できる。
【００５３】
図９（Ｄ）に示すように、聴取者Ｕがドア９５から聴取位置９１の方向に移動していることを検出したときには、音響処理装置１は、スピーカ１１からＲｃｈ（Ｒｃｈのミックスダウン信号またはＲｃｈの疑似信号）を放音し、スピーカ１４からＬｃｈ（Ｌｃｈのミックスダウン信号またはＬｃｈの疑似信号）を放音する。これにより、聴取者Ｕには、右耳にはＲｃｈの音声が聞こえ、左耳にはＬｃｈの音声が聞こえるので、聴取者Ｕがリスニングルーム９０に入室して、聴取領域９２内に移動するまで、ステレオ音声を聴取させることができる。また、このとき、増幅部２５の増幅器２５Ｌと増幅器２５ＳＬをオンにして残りの３つの増幅器をオフにすることで、電力消費を抑制できる。
【００５４】
以上の説明における各設定をまとめると、図１０に示す表のようになる。
【００５５】
なお、上記の説明では、リスニングルーム９０の右壁にドア９５が設けられている場合を説明したが、リスニングルーム９０の左壁にドアが設けられている場合も、同様に設定すると良い。
【００５６】
なお、以上の説明では、マイクロフォンは常に収音できる構成としたが、これにかぎるものではなく、例えば、聴取者Ｕがリスニングルーム９０から退出したら、増幅部２５とともにエコーキャンセル部２７やマイクロフォン１７−１〜１７−Ｎの電源をオフにすると良い。このとき、聴取者Ｕの入室を検出できる所定の間隔で、増幅部２５のいずれかの増幅器、エコーキャンセル部２７、及びマイクロフォン１７−１〜１７−Ｎを起動して、スピーカからインパルスを放音して、聴取者Ｕの有無を検出するように構成すると良い。これにより、電力消費をさらに抑制できる。
【符号の説明】
【００５７】
１−音響処理装置  ３−コンテンツ再生装置  １１〜１５スピーカ    １７−１〜１７−Ｎ−マイクロフォン  ２１−デコード部  ２３−信号処理部  ２５−増幅部  ２７−エコーキャンセル部  ２９−有人検出部  ３１−音源位置検出部  ３３−制御部
【図１】
2011211334.tif 000003
【図２】
2011211334.tif 000004
【図３】
2011211334.tif 000005
【図４】
2011211334.tif 000006
【図５】
2011211334.tif 000007
【図６】
2011211334.tif 000008
【図７】
2011211334.tif 000009
【図８】
2011211334.tif 000010
【図９】
2011211334.tif 000011
【図１０】
2011211334.tif 000012